(57)【要約】【課題】特殊なフレキシブル基板の製造装置を必要とせず簡便な手段でフレキシブル基板からの不要輻射を低減すること。【解決手段】本発明による撮像装置は、外装部材と前記外装部材に固定されているフレキシブル基板と電磁波抑制シートを有し、前記フレキシブル基板は制御基板に接続するための腕部を有し、電子機器の完成状態で、前記腕部は二つの１８０°折り曲げ部で折りたたまれて前記電子機器内に収容されており、前記電磁波抑制シートは前記腕部の二つの１８０°折り曲げ部の間の領域に前記腕部を挟み込むように貼りつけられており、前記電磁波抑制シートは、前記フレキシブル基板の端部に電磁波抑制シートの曲げ部を当接させる様に貼り付けられており、前記電磁波抑制シートには前記フレキシブル基板の端部との当接部の両端にスリットが設けられていることを特徴とする。【選択図】図１
2016018789.tif 000002
【特許請求の範囲】
【請求項１】
外装部材１１３と、前記外装部材１１３に固定されているフレキシブル基板１１６と、電磁波抑制シート１１８を有し、前記フレキシブル基板１１６は制御基板１２４に接続するための腕部１２２を有し、電子機器１０１の完成状態で、前記腕部１２２は二つの１８０°折り曲げ部１２７・１２８で折りたたまれて前記電子機器１０１の内部に収容されており、前記電磁波抑制シート１１８は前記腕部１２２の二つの１８０°折り曲げ部１２７・１２８の間の領域に前記腕部１２２を挟み込むように貼りつけられており、前記電磁波抑制シート１１８は、前記フレキシブル基板１１６の端部に電磁波抑制シート１１８の曲げ部を当接させる様に貼り付けられており、前記電磁波抑制シート１１８には前記フレキシブル基板１１６の端部との当接部の両端にスリット１２９が設けられていることを特徴とする電子機器１０１。
【請求項２】
前記腕部１２２の二つの１８０°折り曲げ部１２７・１２８の間の領域の少なくとも一部には補強板１２６が貼られており、前記電磁波抑制シート１１８は、前記補強板１２６から前記電磁波抑制シート１１８が長さ方向にはみ出さない様に貼られていることを特徴とする請求項１に記載の電子機器１０１。
【請求項３】
前記電磁波抑制シート１１８を十分に覆う様に貼られた絶縁シート１１７を有し、前記絶縁シート１１７は前記電磁波抑制シート１１８の曲げ部に前記絶縁シート１１７の曲げ部を当接させる様に貼り付けられており、前記絶縁シート１１７には前記電磁波抑制シート１１８の曲げ部との当接部の両端にスリット１３１が設けられていることを特徴とする請求項１又は請求項２に記載の電子機器１０１。
【請求項４】
前記制御基板１２４の上に実装された外部接続用コネクタ１３０を有し、前記制御基板１２４への投影面上で前記腕部１２２と前記外部接続用コネクタ１３０とに重なる部分があることを特徴とする請求項１乃至３の何れか一項に記載の電子機器１０１。
【発明の詳細な説明】
【技術分野】
【０００１】
本発明は、電子機器からの不要輻射を低減する構造に関するものである。
【背景技術】
【０００２】
従来から、可撓性を有する基板であるフレキシブル基板が種々の電子機器において利用されている。フレキシブル基板は電子機器内の各種電子素子と制御用基板との間の電気信号を通すために用いられているが、フレキシブル基板上の配線を原因としてフレキシブル基板から不要輻射が発生する場合がある。電子機器から一定以上の不要輻射が放出されると、その電子機器の周囲の他の電子機器を誤動作させたり、その電子機器の周囲の電波放送や電波通信に障害を与えたりする虞がある。従って、フレキシブル基板からの不要輻射を低減させ一定以上の不要輻射が電子機器から放出されない様にする必要がある。
【０００３】
フレキシブル基板からの不要輻射を低減させるための発明として、特許文献１には以下の様な技術が開示されている。フレキシブルプリント配線基板の少なくとも片面側に、金属線材を編み込んでなる電磁波シールド層を設けたことを特徴とするフレキシブルプリント配線基板。
【先行技術文献】
【特許文献】
【０００４】
【特許文献１】特開２００５−２５１９５８号公報
【発明の概要】
【発明が解決しようとする課題】
【０００５】
しかし、前述した従来の技術には以下の様な課題があった。特許文献１においては、金属線材を編み込んでなる電磁波シールド層をフレキシブル基板と一体的に設けるために、一般的なフレキシブル基板の製造工程とは異なる装置や加工が必要となる。その為、フレキシブル基板のコストが高くなる等の課題があった。
【０００６】
そこで、本発明は、特殊なフレキシブル基板の製造装置を必要とせず簡便な手段でフレキシブル基板からの不要輻射を低減することを目的とする。
【課題を解決するための手段】
【０００７】
上記目的を達成するために、本発明による撮像装置は、外装部材と前記外装部材に固定されているフレキシブル基板と電磁波抑制シートを有し、前記フレキシブル基板は制御基板に接続するための腕部を有し、電子機器の完成状態で、前記腕部は二つの１８０°折り曲げ部で折りたたまれて前記電子機器内に収容されており、前記電磁波抑制シートは前記腕部の二つの１８０°折り曲げ部の間の領域に前記腕部を挟み込むように貼りつけられており、前記電磁波抑制シートは、前記フレキシブル基板の端部に電磁波抑制シートの曲げ部を当接させる様に貼り付けられており、前記電磁波抑制シートには前記フレキシブル基板の端部との当接部の両端にスリットが設けられていることを特徴とするものである。
【発明の効果】
【０００８】
本発明によれば、特殊なフレキシブル基板の製造装置を必要とせず簡便な手段でフレキシブル基板からの不要輻射を低減することが可能となる。
【図面の簡単な説明】
【０００９】
【図１】デジタルカメラの外観図である。
【図２】リアカバーユニットの分解斜視図と外観図である。
【図３】フレキシブル基板の外観図である。
【図４】デジタルカメラの分解斜視図である。
【図５】腕部の収納状態を示すための要部断面図である。
【図６】電磁波抑制シートの外観図である。
【図７】電磁波抑制シートの貼り付け方法を示す概念図である。
【図８】電磁波抑制シート貼り付け後のフレキシブル基板の外観図である。
【図９】絶縁シートの外観図である。
【図１０】絶縁シートの貼り付け方法を示す概念図である。
【図１１】絶縁シート貼り付け後のフレキシブル基板の外観図である。
【図１２】腕部と外部接続コネクタとの関係を示す概念図である。
【発明を実施するための形態】
【００１０】
＜第１の実施例＞
以下、本発明の第１の実施例によるフレキシブル基板からの不要輻射抑制手段を用いた電子機器について添付の図面に基づいて詳細に説明する。
【００１１】
図１（ａ）、（ｂ）はそれぞれ、本発明の第１の実施の形態に係るデジタルカメラ１０１を前面、後面が見える角度から見た外観斜視図である。
【００１２】
本実施例では、電子機器としてデジタルカメラ１０１を例にとり説明を行う。デジタルカメラ１０１は、撮像動作を指示するレリーズボタン１０２、ズーム倍率操作手段１０３、各種撮影モードを設定するモードダイヤル１０４、各種操作を行う操作ボタン１０６ａ〜１０６ｊを備える。１０６ｃは上下左右の４方向に操作が可能な操作ボタンである。１０６ｊはデジタルカメラ１０１の電源を入れたり電源を切ったりする際に操作する電源ボタンである。１０７はデジタルカメラ１０１の外装を構成する部材の一つであるリアカバーユニットである。
【００１３】
デジタルカメラ１０１はまた、図１（ａ）中に図示されているレンズ１０５を含む複数のレンズよりなる撮影レンズ群の各々の撮影レンズを所定の位置に保持するレンズ鏡筒１１０、撮影画像等種々の情報を表示するディスプレイ１０８を備える。デジタルカメラ１０１はさらに、外部機器と通信する外部接続用コネクタを覆う端子カバー１０９等の部材を備える。１１１はアクセサリシューである。アクセサリシュー１１１は外付けストロボ等のアクセサリ機器を装着するための装置である。
【００１４】
次に、リアカバーユニット１０７について、図２、図３、図４を用いて説明を行う。図２（ａ）はリアカバーユニット１０７の分解斜視図であり、図２（ｂ）はリアカバーユニット１０７をデジタルカメラ１０１の外観側とは反対方向から見た斜視図である。また、図３はリアカバーユニット１０７の構成部材の１つであるフレキシブル基板１１６の外観斜視図であり、図４はリアカバーユニット１０７を取り外した状態のデジタルカメラ１０１の分解斜視図である。
【００１５】
１１３はリアカバー、１１４は操作ボタン１０６ａ〜１０６ｇを構成する第１の操作部材、１１５は操作ボタン１０６ｈを構成する第２の操作部材であり、第１の操作部材１１４と第２の操作部材１１５は熱溶着によりリアカバー１１３に固定される。１１６はフレキシブル基板である。１１７は絶縁シート、１１８は電磁波抑制シート、１１９はフレキシブル基板保持部材である。
【００１６】
リアカバーユニット１０７は、フレキシブル基板１１６に電磁波抑制シート１１８が貼り付けられた後に、電磁波抑制シート１１８を覆う様に絶縁シート１１７が貼り付けられ、フレキシブル基板１１６をリアカバー１１３とフレキシブル基板保持部材１１９とで挟みこんだ状態でビス１２０ａ〜１２０ｄをリアカバー１１３に設けられたビス座に締め込むことによって、図２（ｂ）に示す組み立て完成状態となる。
【００１７】
図３に示されている様に、フレキシブル基板１１６にはシートスイッチ１２０が貼り付けられている。シートスイッチ１２０には操作ボタン１０６ａ〜１０６ｇに対応した位置にメタルドーム１２１ａ〜１２１ｊが配置されている。デジタルカメラ１０１にリアカバーユニット１０７が組み付けられた状態では、ボタン１０６ａ〜１０６ｇのいずれかが撮影者に押圧されるとそれに対応したメタルドーム１０６ａ〜１０６ｊが変形し、その変形に基づいて発生した電気信号が腕部１２２を介して端子部１２３に到達する。端子部１２３は図５に示される制御基板１２４に配置されたコネクタ１２５に接続される部分であり、端子部１２３に到達した電気信号はコネクタ１２５を介して制御基板１２４に入力され、その信号に基づいて所定の処理が行われる。
【００１８】
リアカバーユニット１０７をデジタルカメラ１０１に組み付ける際に、作業者はリアカバー１１３にフレキシブル基板１１６が固定された状態で、コネクタ１２５に端子部１２３を挿し込む必要がある。そこで、作業性を向上させるためにこの様に長い腕部１２２が設けられている。
【００１９】
図５はリアカバーユニット１０７がデジタルカメラ１０１に組み付けられた状態の腕部１２２の収納状態を示す要部断面拡大図である。図５では、絶縁シート１１７と電磁波抑制シート１１８は省略している。図５を見て判る様に、腕部１２２は第一の曲げ部１２７と第二の曲げ部１２８にて１８０°に曲げられてデジタルカメラ１０１内に収納されている。フレキシブル基板１１６には第一の曲げ部１２７と第二の曲げ部１２８との間に補強板１２６が貼り付けられている。補強板１２６が貼りつけられている部分は貼りつけられていない部分に較べて固さが増すため曲がりにくくなる。その結果、補強板１２６の両側にある第一の曲げ部１２７と第二の曲げ部１２８の位置が安定し、腕部１２２のデジタルカメラ１０１内での収納状態が一定となる効果がある。補強板１２６の材料は種々のものが考えられるが、例えばポリイミド等の材料が用いられる。
【００２０】
ところで、この様に長い腕部１２２は電磁波を放射しやすいので、しばしば長い腕部１２２を有することに起因する不要輻射が問題となることがある。そこで、デジタルカメラ１０１では腕部１２２に電磁波抑制シート１１８を貼りつけている。電磁波抑制シートは例えば金属磁性体粉末を樹脂中に分散させてシート状にしたもの等が知られている。この電磁波抑制シート１１８を腕部１２２に貼ることにより、腕部１２２から放射される電磁波を電磁波抑制シート１１８で抑制し不要輻射を低減させることが出来る。
【００２１】
図５で示される様に腕部は制御基板１２４と近接している。従って、腕部１２２に貼られる電磁波抑制シート１１８が制御基板１２４上に実装されている電気素子と接触してショートする畏れがある為、デジタルカメラ１０１では、電磁波抑制シート１１８を十分に覆う様に絶縁シート１１７を貼りつけている。
【００２２】
ここで、腕部１２２への電磁波抑制シート１１８と絶縁シート１１７の貼り付け方について詳細な説明を行う。
【００２３】
図６は電磁波抑制シート１１８の斜視図であり、図７は電磁波抑制シート１１８を腕部１２２に貼りつける際の概念図であり、図８は腕部１２２に電磁波抑制シート１１８が貼り付けられた状態を示す斜視図である。図８中の矢印ｘは腕部１２２の長さ方向を示し、図８中の矢印ｙは腕部１２２の幅方向を示す。
【００２４】
図６に示されている様に、電磁波抑制シート１１８にはスリット１２９が二箇所設けられている。また、電磁波抑制シート１１８は片側の面の全面が粘着面となっている。電磁波抑制シート１１８の粘着面側の二箇所のスリット１２９を結んだ線（図６中鎖線Ｂ）の部分を図７（ａ）に示す様に腕部１２２に当接させると、二箇所のスリット１２６を結んだ線の部分は曲がりやすくなっているので、電磁波抑制シート１１８は二箇所のスリット１２９を結んだ線の部分で図７（ａ）の矢印の方向に自然と曲がり、図７（ｂ）と図８に示す様な腕部１２２を両側から覆った状態になる。本発明による電磁波抑制シート１１８はこの様に腕部１２２に貼りつけられるので、簡単な方法で腕部１２２の幅方向ｙに位置のばらつきが少なく確実に腕部１２２の幅方向ｙの全ての領域を両側から覆うことが出来、その結果不要輻射を低減される。
【００２５】
また、腕部１２２の長さ方向ｘの貼り付け指標としては補強板１２６が用いられている。具体的には、電磁波抑制シート１１８は腕部の長さ方向に補強板１２６からはみ出さない様に貼り付けられる。本発明による電磁波抑制シート１１８はこの様に腕部の長さ方向の貼り付け指標として補強板という視認性の良い指標を用いるので、簡単な方法で電磁波抑制シート１１８を腕部１２２の長さ方向に位置のばらつきが少なく貼ることが出来る。
【００２６】
図９は絶縁シート１１７の斜視図であり、図１０は絶縁シート１１７を腕部１２２に貼りつける際の概念図であり、図１１は腕部１２２に絶縁シート１１７と電磁波抑制シート１１８が貼り付けられた状態を示す斜視図である。
【００２７】
図９に示されている様に、絶縁シート１１７にはスリット１３１が二箇所設けられている。また、絶縁シート１１７は片側の面の全面が粘着面となっている。そして、絶縁シート１１７は電磁波抑制シート１１８よりも長辺も短辺もそれぞれ少しずつ長く構成されている。
【００２８】
絶縁シート１１７の粘着面側の二箇所のスリット１３１を結んだ線（図９中鎖線Ｃ）の部分を図１０（ａ）に示す様に電磁波抑制シート１１８を１８０°曲げている部分に当接させると、二箇所のスリット１３１を結んだ線の部分は曲がりやすくなっているので、絶縁シート１１７は二箇所のスリット１３１を結んだ線の部分で図１０（ａ）の矢印の方向に自然と曲がり、図１０（ｂ）と図１１に示す様な腕部１２２を両側から覆った状態になる。本発明による絶縁シート１１７はこの様に腕部１２２に貼りつけられるので、簡単な方法で腕部１２２の幅方向ｙに位置のばらつきが少なく貼ることが出来る。
【００２９】
また、腕部１２２の長さ方向ｘの貼り付け指標としては、既に腕部１２２に貼られている電磁波抑制シート１１８が用いられている。具体的には、絶縁シート１１７は腕部の長さ方向ｘに電磁波抑制シート１１８が絶縁シート１１７からはみ出さない様に貼り付けられる。本発明による絶縁シート１１７はこの様に腕部の長さ方向ｘの貼り付け指標として既に腕部１２２に貼られている電磁波抑制シート１１８という視認性の良い指標を用いるので、簡単な方法で絶縁シート１１７を腕部１２２の長さ方向ｘに位置のばらつきが少なく貼ることが出来る。
【００３０】
上記の様な方法で絶縁シート１１７を腕部１２２に貼ることによって、絶縁シート１１７で電磁波抑制シート１１８を十分に覆うことが出来るので、電磁波抑制シート１１８が制御基板１２４上に実装されている電気素子と接触することを防ぐことが出来る。
【００３１】
ここで、リアカバーユニット１０７がデジタルカメラ１０１に組み付けられた状態の腕部１２２と制御基板１２４に実装された外部接続コネクタとの関係について説明を行う。図１２は、リアカバーユニット１０７がデジタルカメラ１０１に組み付けられた状態の腕部１２２と制御基板１２４に実装された外部接続コネクタとの関係を説明するための概念図である。１３０はＨＤＭＩ（登録商標）接続用コネクタであり、デジタルカメラ１０１の使用者はＨＤＭＩ接続用コネクタ１３０にＨＤＭＩケーブルを接続することによって、外部ディスプレイ等に映像を出力することが出来る。ＨＤＭＩ接続用コネクタ１３０は、制御基板１２４のコネクタ１２５が実装されている面とは反対側に実装されている。点線Ａは制御基板１２４の主平面上に投影したＨＤＭＩ接続用コネクタ１３０の外形を示している。図１２を見て判る様に、腕部１２２とＨＤＭＩ接続用コネクタ１３０の外形とは制御基板１２４の主平面への投影上で重なっている部分がある。この様に、フレキシブル基板１１６の信号接続の為の長い腕部１２２と外部接続用コネクタ（本実施例では、ＨＤＭＩ接続用コネクタ１３０）が制御基板１２４への投影上で重なっている部分があると不要輻射の問題が発生しやすい。従って、本実施例の様に腕部１２２に電磁波抑制シート１１８を貼る様にすると良い。
【００３２】
＜その他の実施例＞
実施例１においては、腕部１２２に補強板１２６を貼ることにより腕部１２２に曲がりにくい箇所を作っているが、補強板１２６を貼らずに電磁波抑制シート１１８と絶縁シート１１７を貼ることによって腕部１２２に曲がりにくい箇所を作る構成としても良い。その場合は、電磁波抑制シート１１８の腕部１２２の長さ方向の貼り付け指標としてはフレキシブル基板１１６に設けられた信号配線導体で貼り付け指標を設ける等の手段を用いても良い。
【００３３】
実施例１においては、絶縁シート１１７で電磁波抑制シート１１８を覆う様な構成としたが、電磁波抑制シート１１８が制御基板１２４上に実装されている電気素子と接触してもショートする恐れがない非導電性材料であれば、絶縁シート１１７は必ずしも必要ではない。
【００３４】
なお、上記実施例では、デジタルカメラを例にとり説明を行ったが、本発明は、他の電子機器にも適用することができる。
【００３５】
なお、上記の実施形態は、いずれも本発明を実施するに当たっての具体化の例を示したものに過ぎず、これらによって本発明の技術範囲が限定的に解釈されてはならない。本発明はその技術思想又はその主要な特徴から逸脱することなく、様々な形で実施することが可能である。
【符号の説明】
【００３６】
１０１  デジタルカメラ、１１３  リアカバー、１１６  フレキシブル基板、
１１７  絶縁シート、１１８  電磁波抑制シート、１２２  腕部、１２４  制御基板、
１２６  補強板、１２７  第一の曲げ部、１２８  第二の曲げ部、
１２９  電磁波抑制シートのスリット、１３０  ＨＤＭＩ接続用コネクタ、
１３１  絶縁シートのスリット
【図１】
2016018789.tif 000003
【図２】
2016018789.tif 000004
【図３】
2016018789.tif 000005
【図４】
2016018789.tif 000006
【図５】
2016018789.tif 000007
【図６】
2016018789.tif 000008
【図７】
2016018789.tif 000009
【図８】
2016018789.tif 000010
【図９】
2016018789.tif 000011
【図１０】
2016018789.tif 000012
【図１１】
2016018789.tif 000013
【図１２】
2016018789.tif 000014